(57)【要約】    【課題】    ドラフトチャンバーを実験室内に設置して作業を行なう際に、実験室の天井に設置された空調機の吹き出し口からの風により、ドラフトチャンバーへ流れ込む空気流が乱され、ドラフトチャンバー内より有毒ガスが漏れ出て危険である。    【解決手段】    ドラフトチャンバーの前面の上方端部に水平方向に伸びるフードを設けることにより、空調機の吹き出し口より吹き出る風が、ドラフトチャンバーに流入する流れに当たらないようにしてドラフトチャンバーに流入する空気流に乱れを生じないようにした。【選択図】            図１
2010115580.tif 000002
【特許請求の範囲】
【請求項１】
内部に作業台上の作業室を有し、前面に昇降扉を有し、前記昇降扉の少なくとも下端部を開いて化学実験等を行なうもので、昇降扉を開いた際に外部より作業室に流れる空気流により、作業室で発生する有毒ガスを封じ込めるようにした構成のドラフトチャンバーで、昇降扉を有する前面上部に外部に延びる第１のフードと、前記ドラフトチャンバーの前面の左右両端に夫々設けた第２のフードとの両方のフードまたは第１、第２のフードのいずれか一方を備えたドラフトチャンバー。
【請求項２】
前記第１のフードが、その長さを変化し得るようにした請求項１のドラフトチャンバー。
【請求項３】
前記第２のフードが、水平方向に回動し得るようにした請求項１または２のドラフトチャンバー。
【発明の詳細な説明】
【技術分野】
【０００１】
本発明は、ドラフトチャンバーに関するもので、特にドラフトチャンバーの作業室内の空気の流れが良好になるようにしたことを特徴を有するドラフトチャンバーに関するものである。
【背景技術】
【０００２】
周知のように、ドラフトチャンバーは、化学薬品等を使用しての実験を行なう際に発生する有害なガスや粒子による作業者の危険を防止するためのものである。つまり、実験の際に発生するガスや粒子等の有害物質を囲い込み、これを排出、除去するための装置である。そのため、ドラフトチャンバーは、作業台上の作業を行なう部分を覆う作業室を有し、この作業室内の気体を排出して危険物質を同時に排出除去するための排気路や排気口が設けられている。
【０００３】
このドラフトチャンバーは、実験を行なうための開口を有し、前記の排気路を通り排気口よりの気体の排出により、作業室内は作業のための開口より空気が流入し、作業室内を通り排気路を通って排気口より排出される気流が生ずる。
【０００４】
図３は、従来のドラフトチャンバーの概略図で、同時に気流の状況を示している。
【０００５】
この図において、２０はドラフトチャンバー、２１は作業台で、その上部が作業室２２になっている。又、ドラフトチャンバー２０の背面２３の前にはバッフルパネルと称する板状の部材２４が取り付けられ、ドラフトチャンバーの背面２３とこのバッフルパネル２４との間に排気路２５が形成される。又、この排気路２５の上部には排気口２６が形成されている。
【０００６】
このバッフルパネル２４の下端は作業台２１との間に若干の隙間２７が設けられ、作業台２１上の空気は、この隙間２７より排気路２５に流入し、排気路２５を上昇して排気口２６より排出される。
【０００７】
この従来のドラフトチャンバーは、バッフルパネル２４が上部パネル２４Ａ、下部パネル２４Ｂの他に、天井付近に傾斜させ配置されたパネル（傾斜パネル）２４Ｃを設けたもので、傾斜パネル２４Ｃの上端にも隙間３１が形成されている。
【０００８】
この図３に示す従来例も、上部パネル２４Ａ、下部パネル２４Ｂ、傾斜パネル２４Ｃの左右端部は、ドラフトチャンバーの左右の側壁面に密着配置されていて、各パネルの左右端面には隙間が形成されていない。
【０００９】
したがって、気体は隙間２７、２８の他に隙間３１からも排気路２５を通り排気口２６より排出される。
【００１０】
この従来例のドラフトチャンバーは、図３に示すような気流の状況となる。
このようなドラフトチャンバーにおいては、前述のように作業室２２から排気路２５を通り排気口２６より作業室２２内の空気が排出される。これにより、実験により発生した有害ガスや有害な粒子等は排出除去される。
【００１１】
又、前面には昇降扉３０が設けられ、実験や作業を行なう際には、この昇降扉３０を開き（作業台２１の付近を開き）実験や作業を行なう者がこの開口より作業を行なう。
【００１２】
このように昇降扉３０の下部を開くことにより、実験室側よりドラフトチャンバー２０の作業室２２内への気流３により、作業室２２内よりのガス漏れを防止し、実験や作業によって、発生する有毒ガスその他が漏れ出ないようにしている。
【００１３】
このようなドラフトチャンバーは、一般に実験室内に設置して用いられる。
又、このようなドラフトチャンバーを用いて実験や作業を行なう実験室は、一般に空調機が設けられており、主として天井に設けられた吹き出し口より室内に空気が吹き込まれる。この空調機の吹き出し口より吹き込まれる空気の流れは、室内の空気を効率よく循環させることが目的であり、風速が大であり、吹き出し方向を変化させる機構が設けられているのが一般的である。そのため、ドラフトチャンバーの設置位置によっては、空調機の吹き出し口よりの空気流がドラフトチャンバーに直接吹き付けられたり、ドラフトチャンバーの近傍に吹き付けられることになる。
【００１４】
特に、ドラフトチャンバーの前面開口部付近にこの空調機の吹き出し口よりの空気流が流れた時、この空気流により、ドラフトチャンバーの前記開口部より、作業室内に流れ込む空気流に当たり、この空気流の制御風速等が乱れることとなる。
【００１５】
例えば、図４に示すように空調機の吹き出し口３１よりの空気流３２が、ドラフトチャンバー２０に吹き込む空気流３３に合流する時、この空気流の流れがみだれ、開口より作業室２２への風速が減少し、又複雑な流れとなり、例えば作業台２１付近より外部に流れる空気流３４が生じ、内部の有毒ガス等が漏れ出るため危険である。又、ドラフトチャンバー２０の作業室２２内では、空気流が変化する等良好な流れにならず、実験や作業にとって好ましくない。
【００１６】
特に、空調吹き出し口からの流れ等外部からの流れの速度がドラフトチャンバー２０へ流入する空気流の速度の５０％以上になるとドラフトチャンバーへの流れによる封じ込め作用が減少する。
【００１７】
又、最近の空調機には、図５に示すように設置の際に吹き出し口付近に整流板を設けるようにしたものがある。しかし、ドラフトチャンバーの設置位置に応じて吹き出し口よりの空気流によるドラフトチャンバーの影響がないように空気流の方向をコントロールすることはできない。
【００１８】
少なくとも可能なすべての設置位置に対して、ドラフトチャンバーの空気流に乱れを生じさせないように設置することは不可能に近い。
【００１９】
又、一般に実験室には、窓が設けられており、必要に応じてこの窓を開けて実験や作業を行なうこともある。
【００２０】
この場合も、窓よりの空気流により、同様の問題が生ずる。
【発明の開示】
【発明が解決しようとする課題】
【００２１】
本発明は、実験室に設けられた空調機の吹き出し口とドラフトチャンバーの設置位置との関係や窓の開閉に関係なく、つまり吹き出し口や窓からの空気流に関係なく、ドラフトチャンバーへの空気流による封じ込め作用等に悪影響を与えることなく、したがってガス漏れがなく、又作業室内の空気流を良好に保ち得るようにしたドラフトチャンバーを提供するものである。
【課題を解決するための手段】
【００２２】
本発明のドラフトチャンバーは、前面上部より外方（前方）に延びる第１のフードを設けたもので、この第１のフードより実験室の天井に設けられた空調機の吹き出し口よりの風を遮断し、少なくとも開口部近傍に前記空気流が流れないようにして、開口より流入する気流を正常に保つようにしたもので、これによりドラフトチャンバーの作業室よりの有毒ガスが漏れ出ないようにし、安全で、良好な実験、作業を行ない得るようにした。
【００２３】
又、本発明のドラフトチャンバーの他の構成は、前面の左右端部に夫々垂直方向で前方に延びる第２のフードを配置したもので、これによりドラフトチャンバーを設置し使用する実験室の窓からの空気流の影響を受けずに安全で、良好な作業を可能にしたものである。
【００２４】
更に本発明のドラフトチャンバーは、第１のフードと第２のフードの両方を備えたことを特徴とし、これにより実験室の天井の空調機吹き出し口よりのエアーと窓より流入するエアーによる影響を受けることなく、安全に実験を行なうことが可能である。
【発明の効果】
【００２５】
本発明のドラフトチャンバーは、前面上部に第１のフードを設けたもので、これにより実験室天井に設置された空調機の吹き出し口よりの空気流を遮断し、実験のために設けた昇降扉の下部開口部分より流入する空気の流れが乱れることなく、作業室内よりのガス漏れを防止し、又作業室内の空気の流れを良好に保ち、良好な実験を行ない得る。
【００２６】
又、ドラフトチャンバー前面の左右両端に夫々第２のフードを設けたものでこれにより、実験室の窓より流入する空気流を遮断し、ドラフトチャンバーの作業室に流入する空気流が乱れることによる作業室内よりのガス漏れを防止し、又作業室内の空気の流れを良好に保って、良好な作業を行ない得る。
【００２７】
更に、第１のフードと第２のフードの両方のフードを設けることにより、一層安全に作業を行ない得るという効果を奏する。
【発明を実施するための最良の形態】
【００２８】
本発明のドラフトチャンバーの実施の形態を、図示する実施例にもとづいて説明する。
【実施例１】
【００２９】
本発明の実施例１は、図１に示す通りの構成で、ドラフトチャンバー１０の基本的構成は、図３に示す従来のドラフトチャンバーと実質上同一構成である。
この図１に示す実施例１のドラフトチャンバーは、本体１０の開口部（前面部分）の上方端部に図示するような形状の第１のフード１を設けたものである。
この図１は、実験室の天井に設けられた空調機の吹き出し口１１とドラフトチャンバー１０の設置位置の関係が、図４に示すものと天井の高さ等も含め同じ関係を有する配置にしてある。
【００３０】
この図１に示すような形状の第１のフード１を設けたドラフトチャンバー１０は、天井に設けられた空調機の吹き出し口１１よりの空気流１２を遮断する作用を有する。つまり、空気流１２は、第１のフード１の表面に当たった後は、矢印の方向に向けられる。これにより、いずれの空気流も第１のフード１により遮断されると共に、ドラフトチャンバー１０より離れる方向に向けられる。したがって、ドラフトチャンバー１０への影響は全くなく、特に外部（実験室内）よりドラフトチャンバー１０へ流入する空気流に達することはない。
【００３１】
又、第１のフード１に当たらない空気の流れのうち空気流１３は、ドラフトチャンバー１０の開口部分より離れた箇所を通り、空気流３に影響を及ぼすことはない。又第１のフード１に当たらない他の流れ１４も、ドラフトチャンバー１０の上部を通り抜ける流れとなり、前記空気流の位置とは全く異なる箇所を通ることは明らかである。
【００３２】
このように、この実施例１のドラフトチャンバー１０は、空調機の吹き出し口１１からの空気に影響されることなく、実験を行なうことができる。つまり実験中に作業室内からの有毒ガス等の漏れがなく、安全に実験を行ない得る。又、作業室内の空気流も正常な流れを保ち、良好な状態での実験が可能である。
【００３３】
又、このドラフトチャンバー１０に設けられている第１のフード１は、透明または半透明の材料にて形成されており、照明光等の光は透過し得るため、良好な実験を行なうために必要な作業室内やその周辺の明るさを保つことができる。
なお、図１に示す配置位置において、例えばドラフトチャンバー１０をその右側へ移動させた配置にした場合、第１のフード１による効果が若干減少することが考えられる。
【００３４】
そのため第１のフード１の長さ（ドラフトチャンバー１０の前面より第１のフード１の先端１ａまでの長さ）を長くすることが望ましい。しかし、あまり長くすると第１のフード１を含めた全体のスペースが大になり、その点では好ましくない。
【００３５】
この欠点を解決するためには、第１のフード１の長さを変え得る構造にすることが好ましい。
【００３６】
又、第１のフード１の形状は、必ずしも図１に示すような形状に限ることはない。
【００３７】
実施例１のドラフトチャンバーは、ドラフトチャンバー本体１０を含めた全体の構成にもとづいてその効果が得られ易く、又全体としての外観を含めて採用した形状である。
【実施例２】
【００３８】
本発明の実施例２のドラフトチャンバーは、図２に示すような構成である。
この実施例２のドラフトチャンバーは、ドラフトチャンバー本体１０の構成は、実施例１と同じであるが、フードとしてドラフトチャンバー１０の前面の左右端部に夫々垂直に延びる第２のフード２を設けたことを特徴とする。
【００３９】
実験室には、前述の空調機の吹き出し口よりの空気の流れのほかに、窓を開いた状態にした時窓から吹き込む空気の流れが生ずる。
【００４０】
この流れは、横方向の流れ（水平方向に近い流れ）で、この横方向の流れが前記のようなドラフトチャンバーの作業室内に向けての流れ３に当たる等により影響を及ぼし、ガス漏れの原因となり、作業者によって危険であると共に、作業室内の良好な流れをみだすこととなり、良好な実験のさまたげになる。
【００４１】
この問題を解決した実施例が、実施例２である。
【００４２】
この実施例２のドラフトチャンバーは、図２に示すように、前面部の左右両端に夫々第２のフード２を設けたものである。
【００４３】
このように、実施例２のドラフトチャンバーは、この上下方向に長い第２のフード２を設けることにより、横方向よりの空気の流れを遮断し、それにより前記横方向の流れが流れ３に当たるのを防止している。これにより、ドラフトチャンバー作業室への流れ３を良好なものとし、有毒ガス等の漏れを防止し、実験者、作業者等に対する危険を防止し得る。更にドラフトチャンバーの作業室内での空気の流れを正常なものとし、良好な状態での実験を行ない得るようにし得る。    この実施例２において、第２のフード２のドラフトチャンバー１０の開口部左右夫々の端への取り付け部分２ａを回動可能な取り付けとしてもよい。
【００４４】
これにより、空気が流入する実験室の窓の位置と、ドラフトチャンバー１０の設置位置との関係により、ドラフトチャンバー前面を横に流れる空気流の方向に対応して、第２のフード２の向きを調整すれば、より効果的な流れの遮断が可能になる。
【００４５】
前記実施例において、実施例１は、ドラフトチャンバーの上方に第１のフードを設けたものであり、一方実施例２は、ドラフトチャンバーの開口部左右両側端部に第２のフードを設けたものであるが、実施例１、２を一体にしたつまり上方の第１のフード１と側面端部の第２のフード２の両方のフードを設けたドラフトチャンバーにしてもよい。
【産業上の利用可能性】
【００４６】
本発明のドラフトチャンバーは、実験室内に設置して化学実験等にて用いるもので、実験室における天井に設けられた空調機の吹き出し口よりの空気流等により悪影響を受けることなく、特にそれら空気流によるドラフトチャンバーの作業室へ流入する空気流を正常に保ち、安全で、良好な作業が行ない得るようにした。
【図面の簡単な説明】
【００４７】
【図１】本発明の実施例１の構成を示す図
【図２】本発明の実施例２の構成を示す図
【図３】従来のドラフトチャンバーの構成を示す図
【図４】従来のドラフトチャンバーを実験室内に設置した時の空調機の吹き出し口よりの空気流とドラフトチャンバー作業室へ流入する空気流およびその時の作業室よりのガス漏れの状況を示す図
【図５】図４において空調機の吹き出し口に整流板を設けた時の空気流の状況を示す図
【符号の説明】
【００４８】
１          第１のフード
２          第２のフード
３          調整流
１０        ドラフトチャンバー
【図１】
2010115580.tif 000003
【図２】
2010115580.tif 000004
【図３】
2010115580.tif 000005
【図４】
2010115580.tif 000006
【図５】
2010115580.tif 000007